(57)【要約】【課題】所望の操作機能をキーワードにより絞り込み検索を行う場合、初期設定されたキーワードにこだわらずに検索することができるようにする。【解決手段】開示される操作機能の検索手段を有する携帯電話機は、検索手段が、例えば「自局番号表示」の操作機能に対応したキーワードの「ジキョクバンゴウヒョウジ」を含む複数のキーワードをカナ文字で５０音順に記憶する検索用の検索テーブル１６と、検索したい「自局番号表示」に対応した「ジキョクバンゴウヒョウジ」を別のキーワード「マイバンゴウ」に変更するキーワード変更部と、検索したい所望の操作機能である「マイバンゴウ」について、一つの先頭カナ文字「マ」を入力して上記検索テーブルを検索してその操作機能が得られない場合には、さらに次のカナ文字「イ」を追加して入力して上記検索テーブルの検索を繰り返して検索すべき操作機能を絞り込む制御部３とを備えている。【選択図】      図１
2005005812.tif 000002
【特許請求の範囲】
【請求項１】
複数の操作機能にそれぞれ対応して予め設定されたキーワードを記憶し、所望の操作機能に対応した上記キーワードの文字を１文字づつ順次に入力することにより前記所望の操作機能の絞り込み検索を行うように構成されてなる操作機能の検索手段を有する携帯電話機であって、
前記検索手段は、前記複数の操作機能にそれぞれ対応して予め設定されたキーワードを一定の順序で記憶する検索用の検索テーブルと、
前記所望の操作機能に対応した前記キーワードを別のキーワードに変更するキーワード変更部と、
前記所望の操作機能に対応した前記別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部と、
を備えていることを特徴とする操作機能の検索手段を有する携帯電話機。
【請求項２】
前記キーワード変更部は、前記別のキーワードを前記元のキーワードに戻す初期化可能に構成されていることを特徴とする請求項１記載の操作機能の検索手段を有する携帯電話機。
【請求項３】
前記別のキーワードをまとめて一度に、あるいは個々のキーワード毎に初期化可能に構成されていることを特徴とする請求項２記載の操作機能の検索手段を有する携帯電話機。
【請求項４】
前記検索テーブルは、機能設定、機能名及び機能名読みカナ情報を含み、該機能名読みカナ情報は前記予め設定されたキーワードを初期データとして記憶する第１の情報メモリと、前記別のキーワードに変更された変更データを記憶する第２の情報メモリとから構成されていることを特徴とする請求項１、２又は３記載の操作機能の検索手段を有する携帯電話機。
【請求項５】
前記機能設定、前記機能名及び前記機能名読みカナ情報を構成する前記第１及び第２の情報メモリは、それぞれ対応付けられて、前記第２の情報メモリに記憶されているキーワードを基準として一定の順序で記憶されていることを特徴とする請求項４記載の操作機能の検索手段を有する携帯電話機。
【請求項６】
前記キーワード変更部が、機能呼出しキー、カナ文字キー、確定キー及びスクロールキーを含む入力部の操作により制御されることを特徴とする請求項１乃至５のいずれか１に記載の操作機能の検索手段を有する携帯電話機。
【請求項７】
前記第２の情報メモリに記憶されている前記変更データが、前記入力部の操作により前記第１の情報メモリに記憶されている前記初期データに書き替え可能に構成されていることを特徴とする請求項６記載の操作機能の検索手段を有する携帯電話機。
【請求項８】
前記第２の情報メモリに記憶されている前記変更データが、変更されていないデータとは、異なった文字色で表示部に表示されることを特徴とする請求項６記載の操作機能の検索手段を有する携帯電話機。
【請求項９】
前記第２の情報メモリに記憶されている前記変更データのみの一覧が、表示部に表示されることを特徴とする請求項６記載の操作機能の検索手段を有する携帯電話機。
【請求項１０】
複数の操作機能にそれぞれ対応して予め設定されたキーワードを記憶し、所望の操作機能に対応した上記キーワードの文字を１文字づつ順序に入力することにより前記所望の操作機能の絞り込み検索を行うように構成されてなる操作機能の検索手段を有する携帯電話機の検索方法であって、
前記複数の操作機能にそれぞれ対応して予め設定されたキーワードを一定の順序で記憶する工程と、
前記所望の操作機能に対応した前記キーワードを別のキーワードに変更する工程と、
前記所望の操作機能に対応した前記別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程と、
を備えていることを特徴とする操作機能の検索手段を有する携帯電話機の検索方法。
【発明の詳細な説明】
【０００１】
【発明の属する技術分野】
この発明は、操作機能の検索手段を有する携帯電話機及び該携帯電話機の操作機能の検索方法に係り、詳しくは、所望の操作機能をキーワードにより絞り込み検索を行う操作機能の検索手段を有する携帯電話機及び該携帯電話機の操作機能の検索方法に関する。
【０００２】
【従来の技術】
近年、携帯電話機の発展に伴い各種の操作機能が増加してきているが、この増加により検索したい操作機能を容易にかつ迅速に検索することが困難になってきている。例えば、従来に携帯電話機において、複数の操作機能の中から検索したい所望の操作機能を検索する一般的な方法として、機能呼出しキーを押してテンキーに割り当てられている数字キーを入力する、いわゆる（機能呼出しキー＋数字キー）の検索方法が知られているが、この検索方法では機能設定番号（例えばＦ４２のような）を暗記する必要があるので煩わしくなる。また、その機能設定番号を入力するには、テンキーを何回も繰り返して押下しなければならず、時間がかかるので操作が面倒になる。したがって、簡単な操作で検索したい所望の操作機能を容易にかつ迅速に検索できるようにした携帯電話機及びその検索方法の出現が望まれている。
【０００３】
そのような観点から、キーワードにより絞り込み検索を行う場合、検索したい所望の操作機能を簡単に検索できるようにした携帯電話機の検索システム及び方法が開示されている（例えば、特許文献１参照）。同携帯電話機の検索システムは、登録（記憶）されている複数の操作機能の名前をカナ文字で５０音順に記憶する検索用の検索テーブルと、検索したい所望の操作機能の名前についてキーワードとしての１つの先頭カナ文字で上記検索テーブルを検索してその操作機能が得られない場合にはさらに次のカナ文字を追加して入力して上記検索テーブルの検索を繰り返して検索すべき所望の操作機能を絞り込む制御部とを備えている。
【０００４】
また、同携帯電話機の検索方法は、上記検索テーブルに複数の操作機能の名前をカナ文字で５０音順に記憶する工程と、検索したい所望の操作機能の名前について１つの先頭カナ文字で上記検索テーブルを検索してその操作機能が得られない場合にはさらに次のカナ文字を追加して入力して上記検索テーブルの検索を繰り返して検索すべき操作機能を絞り込む工程とを備えている。
【０００５】
また、ユーザ毎の登録データ又は機能設定を強制的にあるいはユーザに要否を確認した上で、発信元や回線種別が変更されるタイミングに、また、ユーザの選択命令による任意のタイミングに、一括して初期化するようにした通信端末装置が開示されている（例えば、特許文献２参照）。同通信端末装置は、ユーザ毎の各種データを登録するデータ登録手段を備え、このデータ登録手段の内登録データを発信元名称または発信元電話番号の変更操作あるいは消去操作に従って一括して初期化するように構成されている。
【０００６】
【特許文献１】
特開２０００−２７６４７３号公報（第３、４頁、図１〜６）。
【特許文献２】
特開２００１−１８６２３９号公報（第３、４頁、図１〜４）。
【０００７】
【発明が解決しようとする課題】
しかしながら、特許文献１に開示されている携帯電話機の検索システム及び方法におけるキーワードによる絞り込み検索では、複数の操作機能にそれぞれ対応して予め設定されているキーワードは、必ずしもユーザが記憶し易い内容になっているとは限らないので、簡単にキーワードにより絞り込み検索を行うのが困難になる、という問題がある。
すなわち、特許文献１に記載されている携帯電話機では、例えば、「自局番号表示」という操作機能に対応して予め「ジキョクバンゴウヒョウジ」というキーワードがディフォルト（初期データ）として設定されているとすると、ユーザによってはこの「ジキョクバンゴウヒョウジ」というキーワードが記憶しにくくて利用しにくい場合があり、もっと記憶し易いワードに設定されているほうが利用し易くなる場合がある。
【０００８】
また、特許文献２には、通信端末装置において、データ登録手段に登録されたユーザ毎の登録データ又は機能設定を一括して初期化することが記載されているが、携帯電話機においてキーワード絞り込み検索を行うことについてはまったく考慮されていない。
【０００９】
この発明は、上述の事情に鑑みてなされたもので、所望の操作機能をキーワードにより絞り込み検索を行う場合、初期設定されたキーワードにこだわらずに検索することができるようにした操作機能の検索手段を有する携帯電話機及び該携帯電話機の操作機能の検索方法を提供することを目的としている。
【００１０】
【課題を解決するための手段】
上記課題を解決するために、請求項１記載の発明は、複数の操作機能にそれぞれ対応して予め設定されたキーワードを記憶し、所望の操作機能に対応した上記キーワードの文字を１文字づつ順次に入力することにより上記所望の操作機能の絞り込み検索を行うように構成されてなる操作機能の検索手段を有する携帯電話機に係り、上記検索手段は、上記複数の操作機能にそれぞれ対応して予め設定されたキーワードを一定の順序で記憶する検索用の検索テーブルと、上記所望の操作機能に対応した上記キーワードを別のキーワードに変更するキーワード変更部と、上記所望の操作機能に対応した上記別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部とを備えていることを特徴としている。
【００１１】
また、請求項２記載の発明は、請求項１記載の操作機能の検索手段を有する携帯電話機に係り、上記キーワード変更部は、上記別のキーワードを上記元のキーワードに戻す初期化可能に構成されていることを特徴としている。
【００１２】
また、請求項３記載の発明は、請求項２記載の操作機能の検索手段を有する携帯電話機に係り、上記別のキーワードをまとめて一度に、あるいは個々のキーワード毎に初期化可能に構成されていることを特徴としている。
【００１３】
また、請求項４記載の発明は、請求項１、２又は３記載の操作機能の検索手段を有する携帯電話機に係り、上記検索テーブルは、機能設定、機能名及び機能名読みカナ情報を含み、該機能名読みカナ情報は上記予め設定されたキーワードを初期データとして記憶する第１の情報メモリと、上記別のキーワードに変更された変更データを記憶する第２の情報メモリとから構成されていることを特徴としている。
【００１４】
また、請求項５記載の発明は、請求項４記載の操作機能の検索手段を有する携帯電話機に係り、上記機能設定、上記機能名及び上記機能名読みカナ情報を構成する上記第１及び第２の情報メモリは、それぞれ対応付けられて、上記第２の情報メモリに記憶されているキーワードを基準として一定の順序で記憶されていることを特徴としている。
【００１５】
また、請求項６記載の発明は、請求項１乃至５のいずれか１に記載の操作機能の検索手段を有する携帯電話機に係り、上記キーワード変更部が、機能呼出しキー、カナ文字キー、確定キー及びスクロールキーを含む入力部の操作により制御されることを特徴としている。
【００１６】
また、請求項７記載の発明は、請求項６記載の操作機能の検索手段を有する携帯電話機に係り、上記第２の情報メモリに記憶されている上記変更データが、上記入力部の操作により上記第１の情報メモリに記憶されている上記初期データに書き替え可能に構成されていることを特徴としている。
【００１７】
また、請求項８記載の発明は、請求項６記載の操作機能の検索手段を有する携帯電話機に係り、上記第２の情報メモリに記憶されている上記変更データが、変更されていないデータとは、異なった文字色で表示部に表示されることを特徴としている。
【００１８】
また、請求項９記載の発明は、請求項６記載の操作機能の検索手段を有する携帯電話機に係り、上記第２の情報メモリに記憶されている上記変更データのみの一覧が、表示部に表示されることを特徴としている。
【００１９】
また、請求項１０記載の発明は、複数の操作機能にそれぞれ対応して予め設定されたキーワードを記憶し、所望の操作機能に対応した上記キーワードの文字を１文字づつ順序に入力することにより上記所望の操作機能の絞り込み検索を行うように構成されてなる操作機能の検索手段を有する携帯電話機の検索方法に係り、上記複数の操作機能にそれぞれ対応して予め設定されたキーワードを一定の順序で記憶する工程と、上記所望の操作機能に対応した上記キーワードを別のキーワードに変更する工程と、上記所望の操作機能に対応した上記別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程とを備えていることを特徴としている。
【００２０】
【発明の実施の形態】
以下、図面を参照して、この発明の実施の形態について説明する。説明は、実施例を用いて具体的に行なう。
図１は、この発明の一実施例である操作機能の検索手段を有する携帯電話機の概略構成を示すブロック図、図２は同携帯電話機の主要部であるメモリに予め保存されている機能テーブルの内容を示す図、図３は同携帯電話機を用いてキーワードにより絞り込み検索を行うに先立ってキーワードの変更を行う方法を説明するフローチャート、図４は同携帯電話機においてキーワード変更時の画面表示の例を示す図、図５は同携帯電話機において所望の操作機能に対応したキーワードの変更が行われた後の機能テーブルの内容を示す図、図６は同携帯電話機において変更されたキーワードに基づいてキーワード絞り込み検索を行う方法を説明するフローチャート、図７は同携帯電話機においてキーワード変更時の画面表示の例を示す図、図８は同携帯電話機においてキーワード変更後に初期化が行われた機能テーブルの内容を示す図である。
この例の操作機能の検索手段を有する携帯電話機は、図１に示すように、基地局と信号の送受信を行う送受信アンテナ１と、送受信アンテナ１に接続されて送受信信号の変調、復調処理を行う送受信部２と、送受信部２に接続されて送受信信号について音声信号、データ信号の処理を行う信号処理部７と、信号処理部７に接続されて音声信号の符号化、復号化処理を行う音声処理部８と、音声処理部８に接続されて復号化されたアナログ電気信号を音声に変換処理して出力するスピーカ９と、音声処理部８に接続されて音声をアナログ電気信号に変換処理して入力するマイクロフォン１０とを備えている。
【００２１】
さらに、この例の操作機能の検索手段を有する携帯電話機は、図１に示すように、信号処理部７に接続されてデータ信号の処理を行う制御部３と、制御部３に接続されて後述する機能テーブル１６を保存するメモリ４と、制御部３に接続された機能呼出しキー１１、カナ文字キー１２、確定キー１３及びスクロールキー１４を含む入力部１５と、制御部３に接続されてデータ信号を画像情報電気信号に変換処理する表示駆動回路５と、表示駆動回路５に接続されて画像情報電気信号を画像光に変換処理して表示する表示部６とを備えている。
【００２２】
上述のメモリ４に保存されている機能テーブル１６は、機能設定１７、機能名１８及び機能名読みカナ情報１９を含み、機能名読みカナ情報１９は第１の情報メモリ２０と第２の情報メモリ２１とから構成されている。そして、機能テーブル１６の機能設定１７、機能名１８及び機能名読みカナ情報１９（第１の情報メモリ２０と第２の情報メモリ２１）は、図２に示すように、それぞれ対応付けられて、第２の情報メモリ２１のキーワードを基準として５０音順に記憶されている。ここで、機能名読みカナ情報１９を構成している第１の情報メモリ２０に記憶されたの読みカナ情報によるキーワード（初期データ）はディフォルトとして初期設定され、一方、第２の情報メモリ２１に記憶された読みカナ情報によるキーワードは必要に応じて別のキーワード（変更データ）に変更可能に構成されている。
【００２３】
これによってユーザがキーワードにより絞り込み検索を行う場合に、必要に応じて、機能名１８に記憶されている複数の操作機能にそれぞれ対応して第１の情報メモリ２０に初期設定されているキーワードの内、検索したい所望の操作機能に対応したキーワードのみを異なったキーワードに変更して第２の情報メモリ２１に記憶させるように構成されている。この場合、キーワードを変更したい操作機能は、１つでも複数でも任意に選ぶことができる。また、この第２の情報メモリ２１の内容は、必要に応じて元に（初期データに）戻すことができ、この場合には第２の情報メモリ２１に記憶されている変更データが第１の情報メモリ２０に記憶されている初期データに書き替えられるように構成されている。
【００２４】
次に、図３及び図４を参照して、この例の携帯電話機を用いてキーワードにより絞り込み検索を行うに先立って、キーワードの変更を行う方法を説明する。なお、ここでは一例として機能テーブル１６の機能名１８に格納されている複数の操作機能の内、所望の操作機能として「自局番号表示」を選んでこれに対応して第２の情報メモリ２１に予め設定されて記憶されている「ジキョクバンゴウヒョウジ」のキーワードを「マイバンゴウ」に変更する例で説明する。
まず、図３のフローチャートにおいて、入力部１５の機能呼出しキー１１を押下する（ステップＳ１）。次に、制御部３はその押下を検出して、表示駆動回路５を通じて表示部６に図４のＡ画面を表示させる（ステップＳ２）。これにより、Ａ画面には操作機能名変更の表示が行われる。次に、入力部１５のスクロールキー１４を操作して変更する操作機能名である「自局番号表示」を選択し（ステップＳ３）、次に、入力部１５の確定キー１３を押下してその「自局番号表示」を確定する（ステップＳ４）。
【００２５】
次に、第２の情報メモリ２１から「自局番号表示」に対応したキーワードである「ジキョクバンゴウヒョウジ」を読み出して、図４のＢ画面を表示させる（ステップＳ５）。次に、入力部１５のカナ文字キー１２を操作して変更するキーワードである「マイバンゴウ」を入力して、図のＣ画面を表示させる（ステップＳ６）。次に、入力部１５の確定キー１３を押下してその「「マイバンゴウ」を確定して、図４のＤ画面を表示する（ステップＳ７）。
【００２６】
以上により、選ばれた操作機能である「自局番号表示」のキーワードは、「ジキョクバンゴウヒョウジ」から、「マイバンゴウ」に変更される。そして、この結果として、制御部３の制御に基づいて、メモリ４の機能テーブル１６の内容は、図５に示すように、図示左側の内容から右側の内容に第２の情報メモリ２１のキーワードを基準として５０音順に並べ替えられる。
【００２７】
次に、図６のフローチャートを参照して、上述のように変更されたキーワードにより絞り込み検索を行う方法を説明する。
まず、入力部１５の機能呼出しキー１１を押下する（ステップＳ１１）。次に、制御部３はその押下を検出して、表示駆動回路５を通じて表示部６にキーワード検索画面を表示させる（ステップＳ１２）。この例の検索方法では、上述したようにキーワードを「マイバンゴウ」に変更しているので、この「マイバンゴウ」の検索を行うことになる。
【００２８】
次に、入力部１５の文字キー１２を操作してキーワードである「マイバンゴウ」の先頭の１文字である「マ」を入力する（ステップＳ１３）。次に、制御部３はその入力を検出して、第２の情報メモリ２１から「マ」で始まる機能名を検索して、検索した画面を表示部６に表示させる（ステップＳ１４）。次に、検索結果に目的のキーワードである「マイバンゴウ」が表示されたか否かを判断する（ステップＳ１５）。もし、「マ」で始まる機能名の対象件数が少なくてその検索結果で目的とする「マイバンゴウ」が検索された場合は、図７のＡ画面が表示される。そして、フローは（ステップＳ１８）に進む。
【００２９】
しかしながら、実際の検索ではこのように１回の検索で目的の機能名が表示されることはきわめて希であり、ほとんどの場合は、図７のＢ画面のように目的と異なる機能名が表示される。したがって、このように検索結果に目的とする「マイバンゴウ」が表示されなかった場合は、スクロールキー１４でその「マイバンゴウ」を検索するか、あるいはさらに絞り込み検索を行うかを判断する（ステップＳ１６）。この場合、（ステップＳ１４）で表示された検索結果の件数が判断の目安となる。ここで例えば「マ」で始まる機能名が比較的多い場合（例えば８０〜１００件）は、この多い中から目的とする「マイバンゴウ」を、スクロールキー１４で検索するのは手間がかかって困難なので、再度絞り込み検索を行うように判断するものとする。
【００３０】
したがって、次に、再び（ステップＳ１３）に戻って、キーワードである「マイバンゴウ」の「マ」の次の１文字である「イ」を追加して入力する。次に、制御部３はその入力を検出して、第２の情報メモリ２１から「マイ」で始まる機能名を検索して表示部６に表示させる（ステップＳ１４）。次に、検索結果に目的のキーワードである「マイバンゴウ」表示されたか否かを判断する（ステップＳ１５）。もし、「マイ」で始まる機能名の対象件数が比較的少なくてその検索結果で目的とする「マイバンゴウ」が検索された場合は、図７のＣ画面が表示される。そして、フローは（ステップＳ１８）に進む。
【００３１】
次に、目的とする「マイバンゴウ」が検索されなかった場合は、再びスクロールキー１４でその「マイバンゴウ」を検索するか、あるいは絞り込み検索を行うかを判断する。例えば「マイ」で始まる機能名が比較的少なく（例えば１５〜２０件）検索されたものとすると、この少ない中から目的とする「マイバンゴウ」を、スクロールキー１４で検索するのは容易と判断して、次にスクロールキー１４により検索を行って、図７のＣ画面を表示させる。
【００３２】
次に、スクロールキー１４を操作して目的とする「マイバンゴウ」を選択する（ステップＳ１７）。次に、入力部１５の確定キー１３を押下して「マイバンゴウ」を確定する（ステップＳ１８）。この結果、表示部６に検索された「マイバンゴウ」の操作機能画面が表示され（ステップＳ１９）、目的とする「マイバンゴウ」による「自局番号表示」の操作機能が検索されたことになる。
【００３３】
以上のようなキーワードにより絞り込み検索を行う方法によれば、検索したい所望の操作機能のキーワードを、ユーザが記憶し易い内容のキーワードに任意に変更した上で、そのキーワードにより絞り込み検索を行うので、簡単にキーワードにより絞り込み検索を行うことができるようになる。すなわち、上述したような例えば、「自局番号表示」という操作機能に対応して予め「ジキョクバンゴウヒョウジ」というキーワードがディフォルトとして設定されていたとして、ユーザがこの「ジキョクバンゴウヒョウジ」というキーワードが利用しにくいと判断した場合には、ユーザがその「ジキョクバンゴウヒョウジ」というキーワードを利用し易い「マイバンゴウ」に変更した上で、この「マイバンゴウ」により絞り込み検索を行うことにより初期設定されたキーワードにこだわらずに検索を容易に行うことができるようになる。
【００３４】
また、上述したような携帯電話機において、変更したキーワード「マイバンゴウ」を元の「ジキョクバンゴウヒョウジ」に変更することができる。この場合には、入力部１５に設けられている初期化用のリセットキー（図示せず）を操作することにより、制御部３の制御に基づいて、メモリ４の機能テーブル１６の内容は、図８に示すように、図示左側の変更内容から右側の元の内容に戻される。この結果として、検索テーブル１６の第２の情報メモリ２１に記憶されている変更データが第１の情報メモリ２０に記憶されている初期データに書き替えられる。変更したキーワードを元のキーワードにリセットする場合には、変更した複数のキーワードをまとめて一度にリセットしても、あるいは個別にリセットしてもよい。
【００３５】
このように、この例の操作機能の検索手段を有する携帯電話機によれば、複数の操作機能にそれぞれ対応して予め設定されたキーワードを記憶し、所望の操作機能に対応した上記キーワードの文字を１文字づつ順次に入力することにより所望の操作機能の絞り込み検索を行うように構成されてなる操作機能の検索手段を有する構成において、検索手段は、例えば「自局番号表示」の操作機能に対応したキーワードの「ジキョクバンゴウヒョウジ」を含む複数のキーワードをカナ文字で５０音順に記憶する検索用の検索テーブル１６と、検索したい所望の操作機能「自局番号表示」に対応した「ジキョクバンゴウヒョウジ」を別のキーワード「マイバンゴウ」に変更するキーワード変更部と、複数の操作機能の内検索したい所望の操作機能である「マイバンゴウ」について、一つの先頭カナ文字「マ」を入力して上記検索テーブルを検索してその操作機能が得られない場合には、さらに次のカナ文字「イ」を追加して入力して上記検索テーブルの検索を繰り返して検索すべき操作機能を絞り込む制御部３とを備えている。
また、この例の携帯電話機の操作機能の検索方法によれば、例えば「自局番号表示」の操作機能に対応したキーワードの「ジキョクバンゴウヒョウジ」を含む複数のキーワードをカナ文字で５０音順に記憶する工程と、検索したい所望の操作機能「自局番号表示」に対応した「ジキョクバンゴウヒョウジ」を別のキーワード「マイバンゴウ」に変更する工程と、複数の操作機能の内検索したい所望の操作機能である「マイバンゴウ」について、一つの先頭カナ文字「マ」を入力して上記検索テーブルを検索してその操作機能が得られない場合には、さらに次のカナ文字「イ」を追加して入力して上記検索テーブルの検索を繰り返して検索すべき操作機能を絞り込む工程とを備えている。
したがって、所望の操作機能をキーワードにより絞り込み検索を行う場合、初期設定されたキーワードにこだわらずに検索することができる。
【００３６】
以上、この発明の実施例を図面により詳述してきたが、具体的な構成はこの実施例に限られるものではなく、この発明の要旨を逸脱しない範囲の設計の変更などがあってもこの発明に含まれる。例えば、絞り込み検索を行う場合、本文実施例では２段階の絞り込みを行う例で説明したが、これらの例に限らず３段階以上の絞り込みを行うようにすることもできる。この場合は、実施例において、再度（ステップＳ１３）に戻って、キーワードである「マイバンゴウ」の「マイ」の次の１文字である「バ」を追加して入力することにより、上述したような絞り込み検索を繰り返すようにすればよい。また、実施例では携帯電話機の検索テーブルに保存されている複数の操作機能の内、１つの機能である「自局番号表示」に例をあげてそのキーワードを変更して、このキーワードにより絞り込み検索する方法について説明したが、他の任意の操作機能についても同様に行うことができる。また、複数の操作機能にそれぞれ対応した複数のキーワードをカナ文字で５０音順に記憶させる例で説明したが、キーワードあるいは操作機能を並べる順序は一定の順序であれば５０音順に限る必要はない。なお、変更されたキーワードを確認し易くするために、第２の情報メモリに記憶されている変更データを、変更されていないデータとは、異なった文字色で表示部に表示させるようにすることができ、あるいは第２の情報メモリに記憶されている変更データのみの一覧を、表示部に表示させるようにすることができる。
【００３７】
【発明の効果】
以上説明したように、この発明の操作機能の検索手段を有する携帯電話機によれば、検索手段は、複数の操作機能にそれぞれ対応して予め設定されたキーワードを一定の順序で記憶する検索用の検索テーブルと、所望の操作機能に対応したキーワードを別のキーワードに変更するキーワード変更部と、所望の操作機能に対応した別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部とを備えている。
また、この発明の操作機能の検索手段を有する携帯電話機の検索方法によれば、複数の操作機能にそれぞれ対応して予め設定されたキーワードを一定の順序で記憶する工程と、所望の操作機能に対応したキーワードを別のキーワードに変更する工程と、所望の操作機能に対応した別のキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程とを備えている。
したがって、所望の操作機能をキーワードにより絞り込み検索を行う場合、初期設定されたキーワードにこだわらずに検索することができる。
【図面の簡単な説明】
【図１】この発明の一実施例である操作機能の検索手段を有する携帯電話機の概略構成を示すブロック図である。
【図２】同携帯電話機の主要部であるメモリに予め保存されている機能テーブルの内容を示す図である。
【図３】同携帯電話機を用いてキーワードにより絞り込み検索を行うに先立ってキーワードの変更を行う方法を説明するフローチャートである。
【図４】同携帯電話機においてキーワード変更時の画面表示の例を示す図である。
【図５】同携帯電話機において所望の操作機能に対応したキーワードの変更が行われた後の機能テーブルの内容を示す図である。
【図６】同携帯電話機において変更されたキーワードに基づいてキーワード絞り込み検索を行う方法を説明するフローチャートである。
【図７】同携帯電話機においてキーワード変更時の画面表示の例を示す図である。
【図８】同携帯電話機においてキーワード変更後に初期化が行われた機能テーブルの内容を示す図である。
【符号の説明】
１      送受信アンテナ
２      送受信部
３      制御部
４      メモリ
５      表示駆動回路
６      表示部
７      信号処理部
８      音声処理部
９      スピーカー
１０      マイクロフォン
１１      機能呼出しキー
１２      カナ文字キー
１３      確定キー
１４      スクロールキー
１５      入力部
１６      機能テーブル
１７      機能設定
１８      機能名
１９      機能名読みカナ情報
２０      第１の情報メモリ
２１      第２の情報メモリ
【図１】
2005005812.tif 000003
【図２】
2005005812.tif 000004
【図３】
2005005812.tif 000005
【図４】
2005005812.tif 000006
【図５】
2005005812.tif 000007
【図６】
2005005812.tif 000008
【図７】
2005005812.tif 000009
【図８】
2005005812.tif 000010